(57)【要約】      （修正有）【課題】自転車等の取付対象物に対するタブレットＰＣ等の被取付対象物の取り付けの信頼性を高め、着脱を容易にできる連結具を提供する。【解決手段】連結具は、取付対象物に固定する連結具本体と、連結具本体に組み込んだ雌部材３０と、雌部材と係合及び脱係合可能で、被取付対象物が取り付けられる雄部材とを備える。雄部材は係合突起５４を含む。係合突起は、第１半径部５６ｂと、第１半径部よりも短い第２半径部とを有する。雌部材３０は、係合突起を受け入れる係合空間と、係合空間を少なくとも部分的に規定する複数の係合部３１とを含む。係合突起は、係合空間内で、軸線を中心に第１位置と第２位置との間を回動可能である。第１位置において、複数の係合部３１は係合突起の第１半径部と係合し、第２位置において、第２半径部と係合し、かつ係合空間からの離脱抵抗が第１位置での離脱抵抗に比べ大きくなる。【選択図】図６
0003205442.tif 000002
【実用新案登録請求の範囲】
【請求項１】
被取付対象物を取付対象物に着脱可能に取り付けるための連結具（１）であって、
取付対象物に固定する連結具本体（１Ａ）と、
連結具本体（１Ａ）に組み込んだ雌部材（３０、６０、８０）又は雄部材（５０、７０）と、
前記雌部材（３０、６０、８０）又は雄部材（５０、７０）と係合及び脱係合可能で、前記被取付対象物が取り付けられる雄部材（５０、７０）又は雌部材（３０、６０、８０）とを備え、
前記雄部材（５０、７０）は係合突起（５４、７４）を含み、前記係合突起（５４、７４）は、第１半径部（５６ｂ、７６ｂ）と第２半径部（５６ａ、７６ａ）とを有し、第１半径部（５６ｂ、７６ｂ）は、前記係合突起（５４、７４）の軸線（Ｃ）から半径方向に沿う長さが前記第２半径部（５６ａ、７６ａ）に比べて短く、
前記雌部材（３０、６０、８０）は、前記雄部材（５０、７０）の係合突起（５４、７４）を受け入れる係合空間（Ｓ）と、前記係合空間（Ｓ）を少なくとも部分的に規定する係合部（３１、６１、８１）とを含み、
前記雄部材（５０、７０）の係合突起（５４、７４）は、前記係合空間（Ｓ）内で前記軸線（Ｃ）を中心に第１位置と第２位置との間を回動可能であり、
前記第１位置において、前記係合部（３１、６１、８１）は前記係合突起（５４、７４）の第１半径部（５６ｂ、７６ｂ）と係合し、
前記第２位置において、前記係合部（３１、６１、８１）は前記係合突起（５４、７４）の第２半径部（５６ａ、７６ａ）と係合し、かつ前記係合突起（５４、７４）の前記係合空間（Ｓ）からの離脱抵抗が第１位置での離脱抵抗に比べ大きくなる連結具。
【請求項２】
前記連結具本体（１Ａ）又は前記連結具本体（１Ａ）に組み込まれた前記雌部材（３０、６０、８０）又は雄部材（５０、７０）は、凸部（５２ａ、５２ｂ、５５ｂ）又は凹部（２７ａ、２７ｂ、８３）を有し、前記雄部材（５０、７０）又は雌部材（３０、６０、８０）は、前記第２位置において前記凸部（５２ａ、５２ｂ、５５ｂ）又は凹部（２７ａ、２７ｂ、８３）と嵌合可能な凹部（２７ａ、２７ｂ、８３）又は凸部（５２ａ、５２ｂ、５５ｂ）を有する請求項１に記載の連結具。
【請求項３】
前記雌部材（３０、６０、８０）の前記係合空間（Ｓ）は、前記係合空間（Ｓ）内に受け入れた前記係合突起（５４）の前記軸線（Ｃ）に合致する中心線（Ｃａ）を有し、前記雌部材（３０、６０、８０）の係合部（３１、６１、８１）は、前記中心線（Ｃａ）から離れる方向に弾性的に変位可能である請求項１又は２に記載の連結具。
【請求項４】
前記雄部材（５０）の係合突起（５４）は、二つの第１半径部（５６ｂ、７６ｂ）が一つの直径に沿う短軸（５８）と、二つの第２半径部（５６ａ、７６ａ）が前記短軸（５８）に対し垂直な別の直径に沿う長軸（５７）とを有する請求項１〜３のいずれか１項に記載の連結具。
【請求項５】
前記雌部材（３０、８０）は、複数の係合部（３１、８１）を有し、複数の前記係合部（３１、８１）が互いから離れる方向に弾性的に変位可能な一対の係合部（３１、８１）からなる請求項１〜４のいずれか１項に記載の連結具。
【請求項６】
前記雌部材（３０、８０）は、前記一対の係合部（３１、８１）を弾性的に支持する一対のばね部（３２ａ、８２ａ）を含む請求項５に記載の連結具。
【請求項７】
前記雄部材（５０、７０）の係合突起（５４、７４）は、前記第１半径部（５６ｂ、７６ｂ）及び第２半径部（５６ａ、７６ａ）を有する頭部（５６、７６）と、頭部（５６、７６）よりも外径が小さい首部（５５、５５ａ、７５）とを含み、前記雌部材（３０、６０、８０）の係合部（３１、６１、８１）は、前記収容空間（Ｓ）に受け入れられた前記係合突起（５４、７４）の前記首部（５５、５５ａ、７５）に接触又は近接する首部対向面（８１ａ）と、前記頭部（５６、７６）に接触又は近接する頭部対向面（３１ａ）と、前記首部対向面（３１ｂ、６１ａ、８１ａ）と前記頭部対向面（３１ａ）との間の段部（３１ｃ）とを含む請求項１〜６のいずれか１項に記載の連結具。
【請求項８】
前記連結具本体（１Ａ）に前記雌部材（３０、６０、８０）が組み込まれ、前記被取付対象物が前記雄部材（５０、７０）に取り付けられる請求項１〜７のいずれか１項に記載の連結具。
【請求項９】
前記係合突起（５４）は軸部（５３）を含み、前記軸部（５３）の外径は前記首部（５５）よりも大きく、前記連結具本体（１Ａ）は、前記軸部（５３）を収容するための軸部収容部（２８）を有する請求項８に記載の連結具。
【請求項１０】
前記係合突起（５４）は前記軸部（５３）の外径よりも大きい基部（５２）を含み、
前記連結具本体（１Ａ）は、前記基部（５２）を受け入れるための基部収容部（２７）を有する請求項９に記載の連結具。
【考案の詳細な説明】
【技術分野】
【０００１】
本考案は連結具に関し、更に詳しくは、例えばタブレットＰＣ、スマートフォン等を自転車等に着脱可能に取り付けるための連結具に関する。
【背景技術】
【０００２】
タブレットＰＣを自転車に取り付けるための連結具として、自転車のハンドル等に連結具を固定し、連結具に対しタブレットＰＣをスライド式で取り付け及び取り外しを行うものが知られている。しかしながら、そのようなスライド式の連結具では、タブレットＰＣが連結具から不意に落下するおそれがあり、取り付けの信頼性が低いという問題がある。また、そのような不意な落下を防ぐために、タブレットＰＣの連結具への取り付け状態をネジ、ボルト等の固定部材で拘束する場合、取り付け及び取り外し時に、固定部材による固定及びその解除が必要になるため、タブレットＰＣの自転車への着脱が面倒になるという問題がある。
【考案の概要】
【考案が解決しようとする課題】
【０００３】
従って、本考案の目的は、取付対象物に対する被取付対象物の取り付けの信頼性を高め、被取付対象物の取付対象物に対する着脱を容易にすることができる連結具を提供することにある。
【課題を解決するための手段】
【０００４】
上記課題を解決するため、本考案によれば、被取付対象物を取付対象物に着脱可能に取り付けるための連結具であって、取付対象物に固定する連結具本体と、連結具本体に組み込んだ雌部材又は雄部材と、前記雌部材又は雄部材と係合及び脱係合可能で、前記被取付対象物が取り付けられる雄部材又は雌部材とを備え、前記雄部材は係合突起を含み、前記係合突起は、第１半径部と第２半径部とを有し、第１半径部は、前記係合突起の軸線から半径方向に沿う長さが前記第２半径部に比べて短く、前記雌部材は、前記雄部材の係合突起を受け入れる係合空間と、前記係合空間を少なくとも部分的に規定する係合部とを含み、前記雄部材の係合突起は、前記係合空間内で前記軸線を中心に第１位置と第２位置との間を回動可能であり、前記第１位置において、前記係合部は前記係合突起の第１半径部と係合し、前記第２位置において、前記係合部は前記係合突起の第２半径部と係合し、かつ前記係合突起の前記係合空間からの離脱抵抗が第１位置での離脱抵抗に比べ大きくなる連結具が提供される。
【０００５】
本考案では、連結具本体を取付対象物に固定する一方、被取付対象物を取り付けた雄部材又は雌部材を、連結具本体に組み込んだ雌部材又は雄部材に係合することにより、被取付対象物を取付対象物に連結具を介して取り付けることができる。また、被取付対象物を取り付けた雄部材又は雌部材を、連結具に組み込んだ雌部材又は雄部材に係合及び脱係合させることにより、被取付対象物を取付対象物に対し取り付け及び取り外しすることができる。そのため、被取付対象物の取付対象物に対する着脱が容易である。更に、雄部材の係合突起を雌部材の係合空間に挿入した状態で係合突起を、係合突起の軸線を中心に第１位置から第２位置へと回動することにより、雌部材の係合部が係合突起の第２半径部と係合し、係合突起の係合空間からの離脱抵抗が第１位置での離抵抗脱に比べ大きくなり、係合突起の係合空間からの引き抜きを実質的に困難とすることができる。そのため、雄部材を雌部材に係合した後、係合突起を第２位置にすることにより、雄部材と雌部材の係合状態が容易には解除されず、取付対象物に対する被取付対象物の取り付けの信頼性を高めることができる。雌部材の係合部の数は、後述する実施形態では二つの例と三つの例を挙げたが、これらに限らず、一つの場合や四つ以上の場合もあり得る。
【０００６】
本考案において、「被取付対象物」の例としては、タブレットＰＣ、スマートフォン、電子書籍、カメラ、懐中電灯、ドリンクホルダー等を挙げることができるが、これらに限定されるものではない。また、「取付対象物」の例として、自転車、バイク、鞄等を挙げることができるが、これらに限定されるものではない。本考案において、雄部材及び雌部材は、例えば、ポリアセタール、ポリアミド、ポリプロピレン等の合成樹脂等から成形することができるが、これらに限定されるものではない。
【０００７】
本考案において、雄部材は係合突起を含み、係合突起は、係合突起の軸線から半径方向（放射方向）に沿う長さ（半径）が比較的長い第２半径部と、前記軸線から半径方向に沿う長さが第２半径部に比べて短い第１半径部とを有する。第２半径部及び第１半径部は、一実施形態において係合突起の軸線に対する周方向において交互となるように配列される。雌部材は、雄部材の係合突起を受け入れる係合空間を少なくとも部分的に規定する少なくとも一つの係合部を含む。雄部材の係合突起は、係合空間内で第１位置と第２位置との間を、係合突起の軸線を中心に回動可能である。第２位置において、雌部材の係合部は雄部材の係合突起の第２半径部と係合するため、第１半径部と係合する第１位置に比べ、係合空間からの離脱抵抗が大きくなる。雄部材の係合突起を雌部材の係合空間に挿入する場合、係合突起の回動位置を、係合突起の第１半径部が係合部に対応するようにして行うことができる。
【０００８】
本考案の一実施形態において、前記連結具本体又は前記連結具本体に組み込まれた前記雌部材又は雄部材は、凸部又は凹部を有し、前記雄部材又は雌部材は、前記第２位置において前記凸部又は凹部と嵌合可能な凹部又は凸部を有する。この場合、雄部材の係合突起が雌部材の係合空間内で第２位置にある時、連結具本体又は連結具本体に組み込まれた雌部材又は雄部材の凸部又は凹部と、連結具本体とは別個の雄部材又は雌部材の凹部又は凸部とが嵌合する。これにより、第２位置における係合突起の第１位置に向かう回動に対して抵抗が働く。そのため、第２位置での係合突起に対する拘束が助長される。
【０００９】
本考案の一実施形態において、前記雌部材の前記係合空間は、前記係合空間内に受け入れた前記係合突起の前記軸線に合致する中心線を有し、前記雌部材の係合部は、前記中心線から離れる方向に弾性的に変位可能である。前記雌部材の係合空間に雄部材の係合突起を受け入れる際、雌部材の係合部は、前記中心線から離れる方向に一時的に弾性的に変位し、次いで復元する（完全に初期位置まで戻らない場合もある。）。また、雄部材の係合突起を雌部材の係合空間内で第１位置から第２位置へと回動することにより、雌部材の係合部の係合相手は、係合突起の第１半径部から第２半径部へと変わる。この際、係合部は前記中心線から離れる方向に弾性的に変位し、この時、前記中心線に向かって復元しようとする係合部が係合突起の第２半径部を前記中心線側に弾性的に押し圧する。この係合部による係合突起の押し圧も、係合突起の係合空間からの抜け及び係合突起の第２位置から第１位置への回動それぞれに対する抵抗としての役割を果たし得る。なお、係合突起が係合空間内で第２位置から第１位置へと回動することにより、係合部は前記中心線側へと復元する。このような雌部材の係合部の弾性変位は、係合部自体に弾性を付与したり、係合部をばね、ゴム等の弾性部材で支持することによって実現することができる。
【００１０】
本考案の一実施形態において、前記雄部材の係合突起は、二つの第１半径部が一つの直径に沿う短軸と、二つの第２半径部が前記短軸に対し垂直な別の直径に沿う長軸とを有する。この場合、係合突起の周方向において第１半径部と第２半径部とが９０度ごとに交互となり、長軸と短軸とが互いに直交する。また、雌部材の係合部は、第１位置において係合突起の短軸と係合し、第２位置において係合突起の長軸と係合する。
【００１１】
本考案の一実施形態において、前記雌部材は、複数の係合部を有し、複数の前記係合部が互いから離れる方向に弾性的に変位可能な一対の係合部からなる。この場合、雌部材は二つのみの係合部を有し、これら二つの係合部は、雄部材の係合突起が第１位置から第２位置に回動することにより、互いに離れる方向に変位する。
【００１２】
本考案の一実施形態において、前記雌部材は、前記一対の係合部を弾性的に支持する一対のばね部を含む。この場合、雄部材の係合突起が第１位置から第２位置に回動する際、一対のばね部が弾性的に変形することにより、雌部材の二つの係合部が互いから離れる方向に変位する。
【００１３】
本考案の一実施形態において、前記雄部材の係合突起は、前記第１半径部及び第２半径部を有する頭部と、頭部よりも外径が小さい首部とを含み、前記雌部材の係合部は、前記収容空間に受け入れられた前記係合突起の前記首部に接触又は近接する首部対向面と、前記頭部に接触又は近接する頭部対向面と、前記首部対向面と前記頭部対向面との間の段部とを含む。この場合、雄部材の係合突起が雌部材の係合空間に受け入れられている状態で、雌部材の係合部の首部対向面が係合突起の首部に接触又は近接し、かつ係合部の頭部対向面が係合突起の頭部すなわち第１又は第２半径部に接触又は近接する。また、雌部材の係合空間に受け入れられている雄部材の係合突起を係合空間から抜こうとすると、係合突起の頭部が、係合部の首部対向面と頭部対向面との間の段部に引っ掛かり、これが抵抗として働く。この離脱抵抗は、係合部の頭部対向面が頭部の第２半径部に対向している場合の方が、第１半径部に対向している場合よりも大きくなる。
【００１４】
本考案の一実施形態において、前記連結具本体に前記雌部材が組み込まれ、前記被取付対象物が前記雄部材に取り付けられる。この場合、連結具本体とは別個の雄部材に被取付対象物が取り付けられ、この雄部材が連結具本体に組み込まれた雌部材と係合及び脱係合される。
【００１５】
本考案の一実施形態において、前記係合突起は軸部を含み、前記軸部の外径は前記首部よりも大きく、前記連結具本体は、前記軸部を収容するための軸部収容部を有する。この場合、雌部材と雄部材との係合時に、係合突起の軸部が連結具本体の軸部収容部に収容される。
【００１６】
本考案の一実施形態において、前記係合突起は前記軸部の外径よりも大きい基部を含み、前記連結具本体は、前記基部を受け入れるための基部収容部を有する。この場合、雌部材と雄部材との係合時に、係合突起の基部が連結具本体の基部収容部に収容される。
【考案の効果】
【００１７】
本考案に係る連結具では、取付対象物に固定した連結具に組み込んだ雌部材又は雄部材に対し、被取付対象物を取り付けた雄部材又は雌部材を係合及び脱係合させることにより、被取付対象物を取付対象物に対し取り付け及び取り外しすることができる。そのため、被取付対象物の取付対象物に対する着脱が容易である。また、雄部材の係合突起を雌部材の係合空間に挿入した状態で係合突起を、係合突起の軸線を中心に第１位置から第２位置へと回動することにより、雌部材の複数の係合部が係合突起の第２半径部と係合し、係合突起の係合空間からの離脱抵抗が第１位置での離抵抗脱に比べ大きくなり、係合突起の係合空間からの引き抜きを実質的に困難とすることができる。そのため、雄部材を雌部材に係合した後、係合突起を第２位置にすることにより、雄部材と雌部材の係合状態が容易には解除されず、取付対象物に対する被取付対象物の取り付けの信頼性を高めることができる。
【図面の簡単な説明】
【００１８】
【図１】図１は、本考案の一実施形態に係る連結具の斜視図であり、雄部材が第２位置にある状態で示される。
【図２】図２は、図１の連結具の側面図である。
【図３】図３は、図１の連結具の上面図である。
【図４】図４は、図３のＡ−Ａ線矢視部分断面図である。
【図５】図５は、雄部材が第１位置にある図４と同様の矢視部分断面図である。
【図６】図６は、図２のＢ−Ｂ線矢視部分断面図である。
【図７】図７は、雄部材が第１位置にある図６と同様の矢視部分断面図である。
【図８】図８は、雌部材が組み込まれていない雌部材収容空間を示す、アーム部の部分断面図である。
【図９】図９は、係合突起の長軸方向が紙面左右に沿う雄部材の側面図である。
【図１０】図１０は、係合突起の短軸方向が紙面左右に沿う雄部材の側面図である。
【図１１】図１１は、図９の下から見た雄部材の底面図である。
【図１２】図１２は、雄部材及び雌部材の変形例を示す概略説明図であり、雄部材が第１位置にある状態を示す。
【図１３】図１３は、雄部材が第２位置にある状態を示す図１２と同様の概略説明図である。
【図１４】図１４は、雌部材の変形例を示す概略説明図であり、係合突起が第１位置にある状態を示す。
【図１５】図１５は、係合突起が第２位置にある状態を示す図１４と同様の概略説明図である。
【考案を実施するための形態】
【００１９】
以下、本考案の実施形態を図面を参照しつつ説明するが、本考案はそのような実施形態に限定されるものではなく、当業者は、例示の実施形態を、本考案の実用新案登録請求の範囲及び均等の範囲内で適宜変更等することができる。図１は、本考案の一実施形態に係る連結具１を示す斜視図である。図２及び３はそれぞれ、連結具１の側面図及び上面図である。連結具１は、取付対象物の一例である自転車に固定される固定部１０と、固定部１０に対し角度調節可能に連結されるアーム部２０と、アーム部２０の、固定部１０とは反対側の端部に組み込まれた後述する雌部材３０（図６等参照）と、被取付対象物の一例であるタブレットＰＣ（図示せず）が取り付けられ、アーム部２０の雌部材３０に対し係合及び脱係合される雄部材５０とを備える。固定部１０とアーム部２０は連結具本体１Ａを構成する。雄部材５０は、連結具本体１Ａとは別個の部材である。詳しくは後述するが、図１〜３において雄部材５０は雌部材３０と係合した状態の第２位置にある。以下、アーム部２０の、固定部１０側の端部を第１端部２０ａといい、アーム部２０の、固定部１０とは反対側の端部を第２端部２０ｂという。また、以下、上下方向は図２、４及び５の紙面に基づくものとする。更に、便宜的に、左右方向は図３、６及び７の紙面に基づき、図３、６及び７の紙面に基づく下方を前方、上方を後方と呼ぶ。
【００２０】
本実施形態において、固定部１０は、自転車のハンドルステム（図示せず）を通すための円形の穴１１ａを有する板状の円環部１１と、円環部１１の右側部から円環部１１に対し垂直に立ち上がる、一対の板状の支持部１２とを含む。各支持部１２は、互いに向かい合う面に設けられた凹部１３（図３参照）に、アーム部２０の第１端部２０ａの後述する前後側面２３、２４から突出する回動軸部２９（図３参照）を受け入れ、アーム部２０が固定部１０に対し連続的に又は段階的に角度調節できるようにアーム部２０を回動軸部２９を中心に回動可能に支持する。本実施形態では、連結具本体１Ａは、自転車のハンドルステムに対し固定部１０の円環部１１を介して固定されるが、本考案はこのような形態に限定されるものではなく、例えば、自転車、バイク、鞄等の取付対象物に対しベルトやストラップ（図示せず）等を介して連結具本体１Ａが固定されてもよい。
【００２１】
アーム部２０は、第１端部２０ａから第２端部２０ｂへとわずかに上方に凸となる円弧状に延び、この延びる方向に垂直な断面は矩形状である。この矩形断面は、第１端部２０ａから第２端部２０ｂへと次第にわずかに縮小する。アーム部２０は、上面２１と、下面２２と、前側面２３と、後側面２４と、右端面２５とを有する。図１、２等における参照番号２６は、固定部１０に対するアーム部２０の角度を変える時にユーザが把持するつまみ部２６である。
【００２２】
図４は、図３のＡ−Ａ線矢視部分断面図であり、雄部材５０は後述する第２位置にある。図５は、雄部材５０が後述する第１位置にある図４と同様の矢視部分断面図である。図６は、図２のＢ−Ｂ線矢視部分断面図であり、雄部材５０は第２位置にある。図７は、雄部材５０が第１位置にある、図６と同様の矢視部分断面図である。アーム部２０の第２端部２０ｂの内部には、右端面２５の矩形の開口２５ａから雌部材３０を挿入して嵌め込むためのほぼ矩形板形状の雌部材収容空間（以下、単に「収容空間」という。）４０が設けられている。図８は、雌部材３０が組み込まれていない収容空間４０を示す、アーム部２０の第２端部２０ｂの、図４及び５の一部に対応する断面図であり、アーム部２０に雄部材５０が連結されていない状態である。収容空間４０は、アーム部２０の前側面２３側の前内側面４１（図６等参照）と、アーム部２０の後側面２４側の後内側面４２と、前後内側面４１、４２それぞれの左端間を繋ぐ左内側面４３（図８等参照）と、下内側面４４と、上内側面４５とによって実質的に規定される。収容空間４０の右側は、アーム部２０の右端面２５の開口２５ａから外部に開放する。収容空間４０の上内側面４５には、後述する軸部収容部２８が円形に開口する。
【００２３】
図９は雄部材５０の側面図であり、後述する雄部材５０の係合突起５４の長軸方向が図８の紙面左右に沿う。図１０は、係合突起５４の短軸方向が図９の紙面左右に沿う雄部材５０の側面図である。図１１は、図９の下から見た雄部材５０の底面図である。雄部材５０は、合成樹脂製の成形品であり、タブレットＰＣがボルト、アタッチメント等（図示せず）を用いて取り付けられる特殊形状の板状の取付部５１と、取付部５１から下方にほぼ円板形状に拡張する基部５２と、基部５２から下方に突出する、基部５２よりも外径が小さい円柱状の軸部５３と、軸部５３から更に下方に突出する係合突起５４とを備える。なお、本考案においてタブレットＰＣ等の被取付対象物は取付部５１に対しベルト等を介して取り付ける場合もある。基部５２、軸部５３及び係合突起５４は同心であり、軸線Ｃを共有する。係合突起５４は、軸部５３から下方へと、外径が縮小して突出する円柱形状の首部５５と、首部５５から下方に突出し、首部５５よりも外径が大きい頭部５６とを含む。頭部５６は、軸線Ｃから半径方向に沿う長さが比較的長い二つの第２半径部５６ａと、軸線Ｃから半径方向に沿う長さが第２半径部５６ａに比べて短い二つの第１半径部５６ｂとを有する。第２半径部５６ａと第１半径部５６ｂとは軸線Ｃに対する周方向において９０度ごとに交互となる。換言すれば、二つの第２半径部５６ａは一つの直径に沿って設定され、二つの第１半径部５６ｂは前記一つの直径に垂直な別の直径に沿って設定される。以下、二つの第２半径部５６ａが沿う前記一つの直径を長軸５７、二つの第２半径部５６ａが沿う方向を長軸方向といい、二つの第１半径部５６ｂが沿う前記別の直径を短軸５８、二つの第１半径部５６ｂが沿う方向を短軸方向という。首部５５の外径は一定である。首部５５と頭部５６との境界には段部５９が存在する。段部５９は、図９及び１０から分かるように、短軸５８側よりも長軸５７側でより大きいと言える。頭部５６は長軸５７及び短軸５８を有する上部すなわち段部５９側で外径が最大となり、この上部から下方へと外径が縮小し、頭部５６の下方を向く面は、下方に凸となる湾曲面となる。頭部５６の外径は長軸５７から短軸５８へと次第に又は段階的に縮小する。
【００２４】
雄部材５０の取付部５１は、二つのブーメラン形状の羽根部５１ａを含む。これら羽根部５１ａは長軸方向の両側に配置される。各羽根部５１ａは、タブレットＰＣの取り付けに用いるボルト用の穴５１ｂを二つ有する。雄部材５０の基部５２は、その外周面の短軸方向に沿う両側に半径方向外側に突出する第１凸部５２ａ（図３等参照）を有する。基部５２の外径は、第１凸部５２ａを除き一定である。また、雄部材５０の基部５２は、その下面の長軸方向に沿う両端部に下方に凸となる第２凸部５２ｂを有する。雄部材５０の軸部５３の外径は一定である。
【００２５】
図６等を参照して、雌部材３０は、合成樹脂製の成形品であり、雄部材５０の係合突起５４と係合する、水平（水平とは上下方向に垂直な面をいう。）断面がほぼ扇形状の左右一対の係合部３１を備える。これら二つの係合部３１の間は、係合突起５４を受け入れるための係合空間Ｓとなる。係合空間Ｓは、係合空間Ｓ内に係合突起５４を受け入れた際に係合突起５４の軸線Ｃと合致する係合空間Ｓの中心線Ｃａ（図６及び７参照）を有する。各係合部３１は係合空間Ｓの左右両側を部分的に規定すると言える。雌部材３０はまた、左右の係合部３１が中心線Ｃａから離れる方向、すなわち互いに離れる方向（それぞれ左方及び右方）への弾性的な変位を許容するように係合部３１を支持する左右一対の弾性支持部３２と、収容空間４０の前後内側面４１、４２に密着させる前後一対の係止片３３とを備える。左右の弾性支持部３２は、前後の係止片３３間にそれぞれ左方及び右方に凸となる円弧状に延びる左右一対のばね部３２ａと、各ばね部３２ａの前後方向中間部から左右それぞれに若干延び、各一端が対応する係合部３１に連結する支持中間部３２ｂとを有する。更に、雌部材３０は、右方の支持中間部３２ｂの右端から前後方向に、収容空間４０の前後内側面４１、４２間全長にわたって拡張する右端部３４と、左方の支持中間部３２ｂの左端から前後に、右端部３４よりも短く延びる左端部３５とを含む。
【００２６】
前後の係止片３３は、その左右両端に、収容空間４０の対応する前後内側面４１、４２側に突き出る係止爪３３ａを有する。なお、係止爪３３ａは前後の係止片３３それぞれの左端にのみ設けてもよい。他方、収容空間４０の前後内側面４１、４２には、各係止片３３の左端の係止爪３３ａを受け入れて係止するために、前後内側面４１、４２からそれぞれ前後に窪む被係止部４１ａが形成される。雌部材３０の前後方向の長さは、収容空間４０の前後内側面４１、４２間の間隔とほぼ等しい。雌部材３０をアーム部２０の収容空間４０に組み込む場合、アーム部２０の右端面２５の開口２５ａから、雌部材３０の左端部３５を先頭にして雌部材３０を収容空間４０に挿入する。この挿入時において、雌部材３０の前後の係止片３３の左端の係止爪３３ａが、収容空間４０の前後内側面４１、４２に接して各係止片３３の左端部が支持中間部３２ｂ側に撓むが、各係止片３３の左端の係止爪３３ａが前後内側面４１、４２の被係止部４１ａに到達すると、各係止片３３の左端部が復元して各係止爪３３ａが各被係止部４１ａに入り込む。これにより、雌部材３０の収容空間４０への装着が完了し、雌部材３０の収容空間４０からの取り外しが実質的に困難となる。この雌部材３０の装着状態において、雌部材３０の右端部３４はアーム部２０の右端面２５の開口２５ａを実質的に塞ぐ。他方、雌部材３０の左端部３５は、収容空間４０の左内側面４３から若干離れている。
【００２７】
図４及び５を参照して、雌部材３０の一対の係合部３１それぞれは、互いに向き合う面に、雄部材５０の係合突起５４の頭部５６に接触又は近接する下方の頭部対向面３１ａと、首部５５に接触又は近接する首部対向面３１ｂと、頭部対向面３１ａと首部対向面３１ｂとの間の段部３１ｃとを有する。雄部材５０の係合突起５４が雌部材３０の係合空間Ｓに受け入れられた状態で、雌部材３０の係合部３１の頭部対向面３１ａが係合突起５４の頭部５６を部分的に囲み、首部対向面３１ｂが首部５５を部分的に囲むと言える。また、係合部３１の段部３１ｃは係合突起５４の頭部５６の段部５９と軸方向（上下方向）において互いに接触又は近接する。係合部３１の段部３１ｃは、係合空間Ｓの中心線Ｃａ（もしくは係合突起５４の軸線Ｃ）に垂直な面を含み、この面が頭部５６の段部５９に引っ掛かることにより、係合突起５４が二つの係合部３１間から抜けようとする時の抵抗として機能する。また、左右の首部対向面３１ｂ間の間隔は、雄部材５０の係合突起５４の頭部５６の短軸５８よりもわずかに小さい（図５参照）。更に、左右の頭部対向面３１ａ間の間隔は、雌部材３０の初期状態において、係合突起５４の頭部５６の短軸５８とほぼ同じであり、長軸５７よりもわずかに小さい。頭部対向面３１ａ及び首部対向面３１ｂは共に円弧状の面である。図６及び７には、係合突起５４の首部５５と係合している首部対向面３１ｂが水平断面にて表されている。雌部材３０の上下方向の厚さは、雄部材５０における係合突起５４の軸部５３からの突出長さにほぼ等しい。
【００２８】
アーム部２０の第２端部２０ｂにおける収容空間４０より上方には、雄部材５０の基部５２を受け入れるための、アーム部２０の上面２１から円板形状に窪む基部収容部２７と、基部収容部２７から下方に連続し、基部収容部２７よりも径が小さい、雄部材５０の軸部５３を収容するための軸部収容部２８とが設けられる。軸部収容部２８は、図８に示すように、収容空間４０の上内側面４５に円形に開口して、収容空間４０と連通する。基部収容部２７の径は、雄部材５０の基部５２の第１凸部５２ａに対応する位置での外径に等しく、基部５２の第１凸部５２ａを除く外径よりも若干大きい。図３に示すように、基部収容部２７の前後方向に沿う直径の両端部には、第２位置にある雄部材５０の基部５２の第１凸部５２ａと嵌合可能な第１凹部２７ａが設けられる。第２位置で第１凸部５２ａと第１凹部２７ａとが嵌合することで、雄部材５０の第２位置での固定が強化される。また、基部収容部２７の下面には、第２位置にある雄部材５０の基部５２の第２凸部５２ｂと嵌合可能な第２凹部２７ｂ（図８等参照）が形成される。さらに、第２位置で第２凸部５２ｂと第２凹部２７ｂとが嵌合することにより、雄部材５０の第２位置での拘束が助長される。
【００２９】
次に、固定部１０から自転車に固定されたアーム部２０に組み込まれた雌部材３０に対し、タブレットＰＣが取り付けられた雄部材５０を係合する動作について説明する。まず、雄部材５０の係合突起５４を、頭部５６の長軸５７が前後方向に沿い、短軸５８が左右方向に沿う回動位置として雌部材３０の左右一対の係合部３１間の係合空間Ｓに対し挿入する。この際、各係合部３１は、係合突起５４の短軸５８に対応し、係合突起５４の短軸５８に沿う二つの第１半径部５６ｂが、左右の係合部３１の首部対向面３１ｂを互いに離れる方向すなわち係合空間Ｓの中心軸線Ｃａから離れる方向にわずかに一時的に弾性変位させる。次いで、係合突起５４の二つの第１半径部５６ｂが首部対向面３１ｂを下方に乗り越えることにより、左右の首部対向面３１ｂが互いに近付く方向に復元し（完全に初期位置まで戻らない場合もある。）、これにより係合突起５４が係合空間Ｓに受け入れられる（図５、７等参照）。この雄部材５０の係合状態で係合突起５４は、一対の係合部３１が係合突起５４の頭部５６の短軸５８と係合する第１位置にある。この第１位置では、係合部３１の段部３１ｃの頭部５６の段部５９に対する引っ掛かり、換言すれば、左右の係合部３１の首部対向面３１ｂ間の間隔と頭部５６の短軸５８の長さとの差が小さいため、係合空間Ｓから係合突起５４を第２位置に比べ容易に引き抜くことができる。
【００３０】
次に、係合突起５４が係合空間Ｓ内で第１位置にある状態から雄部材５０を９０度回動する。これにより、係合突起５４は、頭部５６の長軸５７が左右方向に沿う第２位置となる。この際、左右の係合部３１の頭部対向面３１ａ間の間隔が長軸５７よりも小さいため、左右の係合部３１が互いに離れる方向すなわち係合空間Ｓの中心線Ｃａから離れる方向に弾性的に変位する。この各係合部３１の弾性変位は、雌部材３０の左右のばね部３２ａを含む弾性支持部３２が弾性変形することによって行われる。互いに離れる方向に弾性変位した各係合部３１には、互いに近付く方向に復元しようとする力が生じるため、各係合部３１の頭部対向面３１ａが係合突起５４の頭部５６の第２半径部５６ａを押し圧する。この係合部３１による押し圧が係合突起５４を係合空間Ｓ内の第２位置に拘束するように働く。第２位置においてはまた、雄部材５０の基部５１の第１凸部５２ａ及び第２凸部５２ｂがアーム部２０の基部収容部２７に設けられた第１凹部２７ａ及び第２凹部２７ｂにそれぞれ嵌合する。これら第１及び第２凸部５２ａ、５２ｂと第１及び第２凹部２７ａ、２７ｂとの嵌合も、雄部材５０の係合突起５４を係合空間Ｓ内の第２位置に拘束するように機能する。
【００３１】
第２位置において、係合部３１の段部３１ｃの頭部５６の段部５９に対する引っ掛かり、換言すれば、左右の係合部３１の首部対向面３１ｂ間の間隔と頭部５６の長軸５７の長さとの差が短軸５８に比べ大きいため、係合突起５４を係合空間Ｓから引き抜こうとしても、係合部３１の段部３１ｃが頭部５６の段部５９に引っ掛かり、これが抵抗となり、係合突起５４は実質的を引き抜くことはできない。そのため、タブレットＰＣが取り付けられた雄部材５０が雌部材３０から安易に外れるようなことはない。そのため、自転車に対するタブレットＰＣの取り付けの信頼性が高い。雄部材５０を雌部材３０から脱係合する場合は、係合突起５４が係合空間Ｓ内の第２位置にある状態から雄部材５０を９０度回動して第１位置に戻す。これにより、雌部材３０の左右の係合部３１が係合突起５４の頭部５６の短軸５８に対応し、離脱抵抗が低減する。この第１位置にて係合突起５４を係合空間Ｓから引き抜くことにより、雄部材５０が雌部材３０から脱係合される。これにより、タブレットＰＣが自転車から取り外される。このように、雄部材５０を雌部材３０に対し係合及び脱係合することにより、タブレットＰＣを自転車に対し容易に着脱することができる。
【００３２】
以上の実施形態に連結具１では、雄部材５０の係合突起５４が二つの第２半径部５６ａ及び二つの第１半径部５６ｂを有し、かつ雌部材３０が二つの係合部３１を有する例を挙げたが、本考案はこれに限定されるものではない。図１２及び１３は、三つの第２半径部７６ａ及び三つの第１半径部７６ｂを有する係合突起７４を備える雄部材７０と、三つの係合部６１を有する雌部材６０との係合状態における第１位置及び第２位置をそれぞれ示す概略説明図である。雄部材７０は、係合突起７４の頭部７６以外の部位について、既述した雄部材５０と実質的に共通するものである。係合突起７４は、外周が角に丸みが付けられたほぼ三角形状の頭部７６と、頭部７６よりも外径が小さい水平断面円形の首部７５と、頭部７６と首部７５との境界にある段部７７とを含む。頭部７６は、前記ほぼ三角形状の角に対応する三つの第２半径部７６ａと、周方向に隣り合う二つの角の中間に対応する三つの第１半径部７６ｂとを周方向に６０度ごとに交互に有する。第２半径部７６ａは、係合突起７４の軸線Ｃからの半径方向の長さが第１半径部７６ｂよりも大きい。
【００３３】
雌部材６０は樹脂成形品であり、円環部６２と、円環部６２から１２０度間隔で半径方向に沿って内側に延びる三つの係合部６１とを含む。各係合部６１は弾性変形可能である。三つの係合部６１は、それらの間に係合突起７４を受け入れるための係合空間Ｓを部分的に規定する。雄部材７０の係合突起７４を雌部材６０の係合空間Ｓに挿入する向きは、図１２及び１３の紙面手前から奥への向きである。雄部材７０の係合突起７４が雌部材６０の係合空間Ｓに係合している状態において、各係合部６１の半径方向内側端面である首部対向面６１ａは、係合突起７４の首部７５の外周面に接触又は近接し、かつ頭部７６の外周面よりも半径方向内側に位置する。そのため、係合突起７４を係合空間Ｓから抜こうとすると、係合突起７４の段部７７が各係合部６１に引っ掛かり、これが離脱抵抗として機能する。この離脱抵抗は、図１２の第１位置よりも図１３の第２位置でより大きくなる。雌部材６０は、既述した雌部材３０と同様に連結具本体１Ａのアーム部２０に対し組み込まれる。また、雌部材６０に係合及び脱係合される雄部材７０は連結具本体１Ａとは別個のものである。この場合、アーム部２０の雌部材収容空間の左内側面を円環部６２に合致する円弧面とすることができる。あるいは、円環部６２の外側に雌部材３０の右端部３４及び左端部３５等を付加して既述した収容空間４０に合致させてもよい。
【００３４】
雄部材７０の係合突起７４を雌部材６０の係合空間Ｓに挿入する場合、係合突起７４を、頭部７６の第１半径部７６ｂが雌部材６０の各係合部６１に対応する回動位置にして各係合部６１間に押し込む。この時、各係合部６１が頭部７６の第１半径部７６ｂに押されて一時的に図１２の紙面奥側かつ半径方向（係合空間Ｓの中心線Ｃａに対する放射方向）外側に一時的に撓む。次いで、各第１半径部７６ｂが各係合部６１を乗り越えると、各係合部６１が復元し、図１２に示すように係合突起７４が係合空間Ｓに第１位置にて係合する。次いで、雄部材７０を周方向に６０度回動することにより、図１３に示す第２位置となる。第２位置では、係合突起７４の頭部７６の各第２半径部７６ａが雌部材６０の各係合部６１に対応する。そのため、第２位置にて係合突起７４を係合空間Ｓから引き抜こうとしても、係合部６１に対する段部７７の引っ掛かりが第１位置に比べて大きく、引く抜くことは実質的に困難となる。なお、第１位置では、係合部６１に対する段部７７の引っ掛かりが第２位置に比べ小さいため、係合突起７４を係合空間Ｓから容易に引き抜くことができる。以上のようにして、自転車、鞄等に連結された連結具本体１Ａのアーム部２０に組み込んだ雌部材６０に対し、タブレットＰＣ等が取り付けられた雄部材７０を簡単に着脱することができる。
【００３５】
図１４及び１５は、雌部材の変形例を示す。この雌部材８０は、左右一対の係合部８１と、これら係合部８１を弾性的に支持する左右一対の弾性支持部８２とを備える。左右の係合部８１間に係合空間Ｓが実質的に規定される。雌部材８０は、既述した連結具本体１Ａのアーム部２０に対し、雌部材収容空間４０の形状を変える等して組み込むことができる。弾性支持部８２は、上下に円弧状に延びる左右一対のばね部８２ａと、各ばね部８２ａの前後方向中間部から左右それぞれに若干延び、各一端が対応する係合部８１に連結する支持中間部８２ｂとを有する。左右の係合部８１は、係合状態で係合突起５４の首部５５ａに接触又は近接する、互いに向かい合う首部対向面８１ａを有する。係合突起５４は、首部５５ａの外周面に、頭部５６の長軸方向両側にて半径方向外側に突出する凸部５５ｂを有する。なお、図１４及び１５における係合突起５４を備える雄部材は、首部５５ａの凸部５５ｂを除き、既述した雄部材５０と実質的に同じものであるため、係合突起５４について同じ参照番号を用いる。他方、雌部材８０の各係合部８１の首部対向面８１ａには、係合突起５４が第２位置にある時に首部５５ａの凸部５５ｂと嵌合可能な凹部８３が設けられる。この場合、雄部材５０の係合突起５４を雌部材８０の係合空間Ｓ内で第１位置から第２位置に回動することにより、凸部５５ｂと凹部８３が嵌合する。この嵌合が係合突起５４の第２位置での拘束を助長する役割を果たす。なお、第２位置において係合突起５４の頭部の長軸が左右一対の係合突起５４を互いに離れる方向に弾性変位させる。そのため、左右の係合突起５４間の間隔が図１４の第１位置よりも図１５の第２位置の方が広がっている。
【００３６】
以上では、雌部材３０、６０、８０を連結具本体１Ａに組み込むと共に、別個の雄部材５０、７０を雌部材３０、６０、８０に着脱させる例を挙げたが、本考案では、連結具本体に雄部材を組み込み、別個の雌部材を雄部材に着脱させてもよい。
【符号の説明】
【００３７】
１  連結具
１Ａ  連結具本体
１０  固定部
２０  アーム部
２７  基部収容部
２７ａ  第１凹部
２７ｂ  第２凹部
２８  軸部収容部
３０、６０、８０  雌部材
３１、６１、８１  係合部
３１ａ  頭部対向面
３１ｂ、６１ａ、８１ａ  首部対向面
３１ｃ  段部
３２  弾性支持部
３２ａ  ばね部
３２ｂ  支持中間部
３３  係止片
３３ａ  係止爪
４０  雌部材収容空間
４１  前内側面
４２  後内側面
４１ａ  被係止部
５０、７０  雄部材
５１  取付部
５２  基部
５２ａ  第１凸部
５２ｂ  第２凸部
５３  軸部
５４、７４  係合突起
５５、５５ａ、７５  首部
５６、７６、  頭部
５６ａ、７６ａ  第２半径部
５６ｂ、７６ｂ  第１半径部
５７  長軸
５８  短軸
５５ｂ  凸部
５９  段部
７７  段部
８３  凹部
Ｓ  係合空間
Ｃ  係合突起の軸線
Ｃａ  係合空間の中心線
【図１】
0003205442.tif 000003
【図２】
0003205442.tif 000004
【図３】
0003205442.tif 000005
【図４】
0003205442.tif 000006
【図５】
0003205442.tif 000007
【図６】
0003205442.tif 000008
【図７】
0003205442.tif 000009
【図８】
0003205442.tif 000010
【図９】
0003205442.tif 000011
【図１０】
0003205442.tif 000012
【図１１】
0003205442.tif 000013
【図１２】
0003205442.tif 000014
【図１３】
0003205442.tif 000015
【図１４】
0003205442.tif 000016
【図１５】
0003205442.tif 000017
【手続補正書】
【提出日】平成28年5月24日(2016.5.24)
【手続補正１】
【補正対象書類名】実用新案登録請求の範囲
【補正対象項目名】全文
【補正方法】変更
【補正の内容】
【実用新案登録請求の範囲】
【請求項１】
被取付対象物を取付対象物に着脱可能に取り付けるための連結具（１）であって、
取付対象物に固定する連結具本体（１Ａ）と、
連結具本体（１Ａ）に組み込んだ雌部材（３０、６０、８０）又は雄部材（５０、７０）と、
前記雌部材（３０、６０、８０）又は雄部材（５０、７０）と係合及び脱係合可能で、前記被取付対象物が取り付けられる雄部材（５０、７０）又は雌部材（３０、６０、８０）とを備え、
前記雄部材（５０、７０）は係合突起（５４、７４）を含み、前記係合突起（５４、７４）は、第１半径部（５６ｂ、７６ｂ）と第２半径部（５６ａ、７６ａ）とを有し、第１半径部（５６ｂ、７６ｂ）は、前記係合突起（５４、７４）の軸線（Ｃ）から半径方向に沿う長さが前記第２半径部（５６ａ、７６ａ）に比べて短く、
前記雌部材（３０、６０、８０）は、前記雄部材（５０、７０）の係合突起（５４、７４）を受け入れる係合空間（Ｓ）と、前記係合空間（Ｓ）を少なくとも部分的に規定する係合部（３１、６１、８１）とを含み、
前記雄部材（５０、７０）の係合突起（５４、７４）は、前記係合空間（Ｓ）内で前記軸線（Ｃ）を中心に第１位置と第２位置との間を回動可能であり、
前記第１位置において、前記係合部（３１、６１、８１）は前記係合突起（５４、７４）の第１半径部（５６ｂ、７６ｂ）と係合し、
前記第２位置において、前記係合部（３１、６１、８１）は前記係合突起（５４、７４）の第２半径部（５６ａ、７６ａ）と係合し、かつ前記係合突起（５４、７４）の前記係合空間（Ｓ）からの離脱抵抗が第１位置での離脱抵抗に比べ大きくなる連結具。
【請求項２】
前記連結具本体（１Ａ）又は前記連結具本体（１Ａ）に組み込まれた前記雌部材（３０、６０、８０）又は雄部材（５０、７０）は、凸部（５２ａ、５２ｂ、５５ｂ）又は凹部（２７ａ、２７ｂ、８３）を有し、前記雄部材（５０、７０）又は雌部材（３０、６０、８０）は、前記第２位置において前記凸部（５２ａ、５２ｂ、５５ｂ）又は凹部（２７ａ、２７ｂ、８３）と嵌合可能な凹部（２７ａ、２７ｂ、８３）又は凸部（５２ａ、５２ｂ、５５ｂ）を有する請求項１に記載の連結具。
【請求項３】
前記雌部材（３０、６０、８０）の前記係合空間（Ｓ）は、前記係合空間（Ｓ）内に受け入れた前記係合突起（５４）の前記軸線（Ｃ）に合致する中心線（Ｃａ）を有し、前記雌部材（３０、６０、８０）の係合部（３１、６１、８１）は、前記中心線（Ｃａ）から離れる方向に弾性的に変位可能である請求項１又は２に記載の連結具。
【請求項４】
前記雄部材（５０）の係合突起（５４）は、二つの第１半径部（５６ｂ、７６ｂ）が一つの直径に沿う短軸（５８）と、二つの第２半径部（５６ａ、７６ａ）が前記短軸（５８）に対し垂直な別の直径に沿う長軸（５７）とを有する請求項１〜３のいずれか１項に記載の連結具。
【請求項５】
前記雌部材（３０、８０）は、複数の係合部（３１、８１）を有し、複数の前記係合部（３１、８１）が互いから離れる方向に弾性的に変位可能な一対の係合部（３１、８１）からなる請求項１〜４のいずれか１項に記載の連結具。
【請求項６】
前記雌部材（３０、８０）は、前記一対の係合部（３１、８１）を弾性的に支持する一対のばね部（３２ａ、８２ａ）を含む請求項５に記載の連結具。
【請求項７】
前記雄部材（５０、７０）の係合突起（５４、７４）は、前記第１半径部（５６ｂ、７６ｂ）及び第２半径部（５６ａ、７６ａ）を有する頭部（５６、７６）と、頭部（５６、７６）よりも外径が小さい首部（５５、５５ａ、７５）とを含み、前記雌部材（３０、６０、８０）の係合部（３１、６１、８１）は、前記係合空間（Ｓ）に受け入れられた前記係合突起（５４、７４）の前記首部（５５、５５ａ、７５）に接触又は近接する首部対向面（８１ａ）と、前記頭部（５６、７６）に接触又は近接する頭部対向面（３１ａ）と、前記首部対向面（３１ｂ、６１ａ、８１ａ）と前記頭部対向面（３１ａ）との間の段部（３１ｃ）とを含む請求項１〜６のいずれか１項に記載の連結具。
【請求項８】
前記連結具本体（１Ａ）に前記雌部材（３０、６０、８０）が組み込まれ、前記被取付対象物が前記雄部材（５０、７０）に取り付けられる請求項１〜７のいずれか１項に記載の連結具。
【請求項９】
前記係合突起（５４）は軸部（５３）を含み、前記軸部（５３）の外径は前記首部（５５）よりも大きく、前記連結具本体（１Ａ）は、前記軸部（５３）を収容するための軸部収容部（２８）を有する請求項７に記載の連結具。
【請求項１０】
前記係合突起（５４）は前記軸部（５３）の外径よりも大きい基部（５２）を含み、
前記連結具本体（１Ａ）は、前記基部（５２）を受け入れるための基部収容部（２７）を有する請求項９に記載の連結具。